【手続補正書】
【提出日】平成20年9月29日(2008.9.29)
【手続補正１】
【補正対象書類名】明細書
【補正対象項目名】発明の名称
【補正方法】変更
【補正の内容】
【発明の名称】画像管理装置、画像管理装置の制御方法、及びコンピュータプログラム
【手続補正２】
【補正対象書類名】明細書
【補正対象項目名】特許請求の範囲
【補正方法】変更
【補正の内容】
【特許請求の範囲】
【請求項１】  撮像装置と接続したことを検知すると自動的に起動する画像管理装置であって、
前記撮像装置の画像のうち、取り込み対象となる画像の種別を選択するための第１の選択肢を第１のダイアログに表示するよう制御する第１の表示制御手段と、
前記撮像装置から取り込まれた画像に対して実行する動作の種類を選択するための第２の選択肢を第２のダイアログに表示するよう制御する第２の表示制御手段と、
前記第１の選択肢の中から選択された種別の画像を前記撮像装置から取り込む取り込み手段と、
前記第２の選択肢の中から選択された種類の動作を前記取り込み手段により取り込まれた画像に対して実行する実行手段とを備え、
前記第２の表示制御手段は、前記第１の選択肢の中から前記画像の種別が選択された後、かつ前記取り込み手段が前記第１の選択肢の中から選択された種別の画像を取り込む処理を実行する前に、前記第２の選択肢を前記第２のダイアログに表示するよう制御することを特徴とする画像管理装置。
【請求項２】  前記撮像装置と接続したことを検知すると、前記撮像装置の画像に対して実行する操作の種類を選択するための第３の選択肢を第３のダイアログに表示するよう制御する第３の表示制御手段を更に備え、
前記第３の選択肢は、前記画像を前記撮像装置から取り込む操作を含み、
前記第２の表示制御手段は、前記第３の選択肢の中から前記撮像装置の画像を取り込む操作が選択されたときに、前記第１の選択肢を前記第１のダイアログに表示するよう制御することを特徴とする請求項１記載の画像管理装置。
【請求項３】  前記第１の選択肢は、前記撮像装置の全ての画像、未だ前記撮像装置から取り込まれていない画像、印刷指定された画像および送信指定された画像のうち少なくとも１つを含むことを特徴とする請求項１または２記載の画像管理装置。
【請求項４】  前記第２の選択肢は、前記取り込まれた画像のスライドショー、前記取り込まれた画像のレイアウト印刷、前記取り込まれた画像のインデックス印刷、前記取り込まれた画像の電子メール送信、および前記取り込まれた画像のアップロードのうち少なくとも１つを含むことを特徴とする請求項１乃至３の何れか１項に記載の画像管理装置。
【請求項５】  前記第２の選択肢の中から選択された動作の種類を記憶する記憶手段を更に備え、
前記第２の選択肢は、前記記憶手段に記憶された以外の動作の種類を含むことを特徴とする請求項１乃至４の何れか１項に記載の画像管理装置。
【請求項６】  撮像装置と接続したことを検知すると自動的に起動する画像管理装置の制御方法であって、
前記撮像装置の画像のうち、取り込み対象となる画像の種別を選択するための第１の選択肢を第１のダイアログに表示するよう制御する第１の表示制御ステップと、
前記撮像装置から取り込まれた画像に対して実行する動作の種類を選択するための第２の選択肢を第２のダイアログに表示するよう制御する第２の表示制御ステップと、
前記第１の選択肢の中から選択された種別の画像を前記撮像装置から取り込む取り込みステップと、
前記第２の選択肢の中から選択された種類の動作を前記取り込み手段により取り込まれた画像に対して実行する実行ステップとを備え、
前記第２の表示制御ステップは、前記第１の選択肢の中から前記画像の種別が選択された後、かつ前記第１の選択肢の中から選択された種別の画像を取り込む処理を実行する前に、前記第２の選択肢を前記第２のダイアログに表示するよう制御することを特徴とする画像管理装置の制御方法。
【請求項７】  撮像装置と接続したことを検知すると自動的に起動する画像管理装置を実現するコンピュータに、
前記撮像装置の画像のうち、取り込み対象となる画像の種別を選択するための第１の選択肢を第１のダイアログに表示するよう制御する第１の表示制御ステップと、
前記撮像装置から取り込まれた画像に対して実行する動作の種類を選択するための第２の選択肢を第２のダイアログに表示するよう制御する第２の表示制御ステップと、
前記第１の選択肢の中から選択された種別の画像を前記撮像装置から取り込む取り込みステップと、
前記第２の選択肢の中から選択された種類の動作を前記取り込み手段により取り込まれた画像に対して実行する実行ステップとを実行させ、
前記第２の表示制御ステップは、前記第１の選択肢の中から前記画像の種別が選択された後、かつ前記第１の選択肢の中から選択された種別の画像を取り込む処理を実行する前に、前記第２の選択肢を前記第２のダイアログに表示するよう制御することを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、撮像装置と接続し、前記撮像装置の画像を管理するための画像管理装置、その制御方法、及びコンピュータプログラムに関する。
【手続補正４】
【補正対象書類名】明細書
【補正対象項目名】００１２
【補正方法】変更
【補正の内容】
【００１２】
本発明は、上述の問題にかんがみ、画像入力機器から画像を取り込む時にユーザが行う操作を簡単にすることを目的とする。
【手続補正５】
【補正対象書類名】明細書
【補正対象項目名】００１３
【補正方法】変更
【補正の内容】
【００１３】
【課題を解決するための手段】
本発明の画像管理装置は、撮像装置と接続したことを検知すると自動的に起動する画像管理装置であって、前記撮像装置の画像のうち、取り込み対象となる画像の種別を選択するための第１の選択肢を第１のダイアログに表示するよう制御する第１の表示制御手段と、前記撮像装置から取り込まれた画像に対して実行する動作の種類を選択するための第２の選択肢を第２のダイアログに表示するよう制御する第２の表示制御手段と、前記第１の選択肢の中から選択された種別の画像を前記撮像装置から取り込む取り込み手段と、前記第２の選択肢の中から選択された種類の動作を前記取り込み手段により取り込まれた画像に対して実行する実行手段とを備え、前記第２の表示制御手段は、前記第１の選択肢の中から前記画像の種別が選択された後、かつ前記取り込み手段が前記第１の選択肢の中から選択された種別の画像を取り込む処理を実行する前に、前記第２の選択肢を前記第２のダイアログに表示するよう制御することを特徴とする。
【手続補正６】
【補正対象書類名】明細書
【補正対象項目名】００１４
【補正方法】変更
【補正の内容】
【００１４】
本発明の画像管理装置の制御方法は、撮像装置と接続したことを検知すると自動的に起動する画像管理装置の制御方法であって、前記撮像装置の画像のうち、取り込み対象となる画像の種別を選択するための第１の選択肢を第１のダイアログに表示するよう制御する第１の表示制御ステップと、前記撮像装置から取り込まれた画像に対して実行する動作の種類を選択するための第２の選択肢を第２のダイアログに表示するよう制御する第２の表示制御ステップと、前記第１の選択肢の中から選択された種別の画像を前記撮像装置から取り込む取り込みステップと、前記第２の選択肢の中から選択された種類の動作を前記取り込み手段により取り込まれた画像に対して実行する実行ステップとを備え、前記第２の表示制御ステップは、前記第１の選択肢の中から前記画像の種別が選択された後、かつ前記第１の選択肢の中から選択された種別の画像を取り込む処理を実行する前に、前記第２の選択肢を前記第２のダイアログに表示するよう制御することを特徴とする。
【手続補正７】
【補正対象書類名】明細書
【補正対象項目名】００１５
【補正方法】変更
【補正の内容】
【００１５】
本発明のコンピュータプログラムは、撮像装置と接続したことを検知すると自動的に起動する画像管理装置を実現するコンピュータに、前記撮像装置の画像のうち、取り込み対象となる画像の種別を選択するための第１の選択肢を第１のダイアログに表示するよう制御する第１の表示制御ステップと、前記撮像装置から取り込まれた画像に対して実行する動作の種類を選択するための第２の選択肢を第２のダイアログに表示するよう制御する第２の表示制御ステップと、前記第１の選択肢の中から選択された種別の画像を前記撮像装置から取り込む取り込みステップと、前記第２の選択肢の中から選択された種類の動作を前記取り込み手段により取り込まれた画像に対して実行する実行ステップとを実行させ、前記第２の表示制御ステップは、前記第１の選択肢の中から前記画像の種別が選択された後、かつ前記第１の選択肢の中から選択された種別の画像を取り込む処理を実行する前に、前記第２の選択肢を前記第２のダイアログに表示するよう制御することを特徴とする。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
【発明の実施の形態】
次に、添付の図面を参照しながら、本発明の実施の形態について説明する。なお、本実施の形態では、画像管理装置がパーソナルコンピュータ(PC)である場合を例に挙げて説明する。
【手続補正１１】
【補正対象書類名】明細書
【補正対象項目名】０１１２
【補正方法】変更
【補正の内容】
【０１１２】
【発明の効果】
以上のように、本発明では、画像取り込み時の操作を簡単に行うことができる。
【手続補正１２】
【補正対象書類名】明細書
【補正対象項目名】０１１３
【補正方法】削除
【補正の内容】
【手続補正１３】
【補正対象書類名】明細書
【補正対象項目名】０１１４
【補正方法】削除
【補正の内容】
【手続補正１４】
【補正対象書類名】明細書
【補正対象項目名】０１１５
【補正方法】削除
【補正の内容】
【手続補正１５】
【補正対象書類名】明細書
【補正対象項目名】０１１６
【補正方法】削除
【補正の内容】